(57)【要約】      （修正有）【課題】表面が平坦で、油汚れや指紋に強く、且つ見栄えが良いマウスパッドの構造を提供する。【解決手段】マウスパッドの構造は、パッド１と疎油性フィルム層２を含む。パッドは上面１１を有し、疎油性フィルム層は上面に貼り付けられる。疎油性フィルム層は、プラスチック基材と、プラスチック基材に分散する複数のガラスビーズを含む。【選択図】図１
0003232023.tif 000002
【実用新案登録請求の範囲】
【請求項１】
上面を有するパッドと、
当該上面に貼り付けられており、プラスチック基材と、当該プラスチック基材に分散する複数のガラスビーズを含む疎油性フィルム層、を有するマウスパッドの構造。
【請求項２】
当該複数のガラスビーズの重量は、当該疎油性フィルム層の総重量の４０％〜５５％を占める請求項１に記載のマウスパッドの構造。
【請求項３】
当該疎油性フィルム層は、当該プラスチック基材に分散する複数のグリッターパウダーを更に含む請求項１に記載のマウスパッドの構造。
【請求項４】
当該複数のガラスビーズと当該複数のグリッターパウダーの合計重量は、当該疎油性フィルム層の総重量の４０％〜５５％を占める請求項３に記載のマウスパッドの構造。
【請求項５】
当該プラスチック基材の重量は、当該疎油性フィルム層の総重量の４５％〜６０％を占める請求項２又は４に記載のマウスパッドの構造。
【請求項６】
当該プラスチック基材は、ポリエチレンテレフタラート、ポリウレタン又は熱可塑性ポリウレタンを材質として構成され、各当該ガラスビーズの直径は１０μｍ〜３０μｍの間である請求項１又は３に記載のマウスパッドの構造。
【請求項７】
当該パッドは弾性パッド体であり、当該上面は当該弾性パッド体の上方に形成されており、当該弾性パッド体はシリコーンゴム又はゴムを材質として構成される請求項１又は３に記載のマウスパッドの構造。
【請求項８】
当該パッドは弾性パッド体と織布層を含み、当該織布層は当該弾性パッド体の上方に積層されており、当該上面は当該織布層の上方に形成されており、当該弾性パッド体はシリコーンゴム又はゴムを材質として構成される請求項１又は３に記載のマウスパッドの構造。
【請求項９】
更に、第１接着剤層を含み、当該第１接着剤層は当該弾性パッド体と当該織布層の間に介在する請求項８に記載のマウスパッドの構造。
【請求項１０】
更に、第２接着剤層を含み、当該第２接着剤層は当該上面と当該疎油性フィルム層の間に介在する請求項１又は３に記載のマウスパッドの構造。
【考案の詳細な説明】
【技術分野】
【０００１】
本考案はマウスの下に敷かれるマウスパッドに関し、特に、マウスパッドの構造に関する。
【背景技術】
【０００２】
マウスパッドは、使用者がマウスを操作する際に、スクリーン上のカーソルを確実に変位させるとともに、的確に変位量が検知されるよう補助するものである。従って、業務の円滑化における適切なマウスパッドの重要性については言うまでもない。
【０００３】
しかし、マウスパッドの表面が平滑であるほど、マウスカーソルの変位はいっそう円滑となる。且つ、現代はユニークな製品設計が求められている。そこで、業者にとっては、如何にして表面が平滑であり、且つユニークな外観のマウスパッドを製造するかが研究開発の要点となっている。
【０００４】
この点に鑑みて、本考案者は上記の従来技術に対し、研究に専心するとともに学術理論を駆使し、上記の課題解決に努めることを改良の目標に掲げた。
【考案の概要】
【考案が解決しようとする課題】
【０００５】
本考案は、プラスチック基材と、プラスチック基材に分散する複数のガラスビーズを含む疎油性フィルム層を利用することで、表面が平坦であり、油汚れや指紋に強く、且つ見栄えが良くなるとの効果を達成するマウスパッドの構造を提供する。
【課題を解決するための手段】
【０００６】
本考案の実施例において、本考案は、上面を有するパッドと、当該上面に貼り付けられており、プラスチック基材と、当該プラスチック基材に分散する複数のガラスビーズを含む疎油性フィルム層、を有するマウスパッドの構造を提供する。
【考案の効果】
【０００７】
上記の場合、パッドの上面は平坦でなく、マウスを使用することができない。そこで、疎油性フィルム層をパッドの上面に貼り付けることで、パッドの上面を平坦にするとともに、油汚れや指紋に強くする。これにより、マウスは滑らかにパッド上を移動可能となるため、表面が平坦であり、油汚れや指紋に強いとの効果をマウスパッドの構造に持たせることが可能となる。
【０００８】
上記によれば、疎油性フィルム層は、プラスチック基材と、プラスチック基材に分散する複数のガラスビーズを含んでいる。ガラスビーズは、光が照射されると反射して光るため、マウスパッドの構造の見栄えが良くなる。
【図面の簡単な説明】
【０００９】
【図１】図１は、本考案におけるマウスパッドの構造の立体分解図である。
【図２】図２は、本考案におけるマウスパッドの構造の他の立体分解図である。
【図３】図３は、本考案の疎油性フィルム層の断面図である。
【図４】図４は、本考案の疎油性フィルム層の他の実施例の断面図である。
【図５】図５は、本考案におけるマウスパッドの構造の他の実施例の立体分解図である。
【考案を実施するための形態】
【００１０】
本考案の詳細及び技術内容について、図面を組み合わせて以下の通り説明する。ただし、図面は説明のためのものにすぎず、本考案を限定するためのものではない。
【００１１】
図１〜図３を参照して、本考案はマウスパッドの構造を提供する。当該マウスパッドの構造１０は、パッド１及び疎油性フィルム層２を主に含む。
【００１２】
図１〜図２に示すように、パッド１は上面１１を有する。詳細を説明すると、パッド１は弾性パッド体１２と織布層１３を含む。織布層１３は弾性パッド体１２の上方に積層されており、上面１１は織布層１３の上方に形成されている。弾性パッド体１２は、シリコーンゴム又はゴムを材質として構成される。織布層１３は、織物、平織又は編物として織編された生地から構成される。
【００１３】
図１〜図３に示すように、疎油性フィルム層２は上面１１に貼り付けられる。疎油性フィルム層２は、プラスチック基材２１と、プラスチック基材２１に分散する複数のガラスビーズ２２を含む。
【００１４】
更に説明すると、プラスチック基材２１は、ポリエチレンテレフタラート（ｐｏｌｙｅｔｈｙｌｅｎｅ  ｔｅｒｅｐｈｔｈａｌａｔｅ，ＰＥＴ）、ポリウレタン（Ｐｏｌｙｕｒｅｔｈａｎｅ，ＰＵ）又は熱可塑性ポリウレタン（Ｔｈｅｒｍｏｐｌａｓｔｉｃ  ｐｏｌｙｕｒｅｔｈａｎｅｓ，ＴＰＵ）を材質として構成され、各ガラスビーズ２２はガラスを材質として構成される。且つ、各ガラスビーズ２２の直径は１０μｍ〜３０μｍの間である。
【００１５】
このほか、プラスチック基材２１の重量は疎油性フィルム層２の総重量の４５％〜６０％を占めており、複数のガラスビーズ２２の重量は疎油性フィルム層２の総重量の４０％〜５５％を占めている。
【００１６】
図２に示すように、本考案のマウスパッドの構造１０は、第１接着剤層３及び第２接着剤層４を更に含む。第１接着剤層３は、織布層１３を弾性パッド体１２の上方に貼り付けるために、弾性パッド体１２と織布層１３の間に介在する。第２接着剤層４は、疎油性フィルム層２をパッド１の上方に貼り付けるために、上面１１と疎油性フィルム層２の間に介在する。
【００１７】
図１〜図３に示すように、本考案のマウスパッドの構造１０は、使用状態において、織物、平織又は編物として織編された織布層１３を用いるため、パッド１の上面１１は平坦でなく、マウスを使用することができない。そこで、疎油性フィルム層２をパッド１の上面１１に貼り付けることで、パッド１の上面を平坦にするとともに、油汚れや指紋に強くしている。これにより、マウスは滑らかにパッド１上を移動可能となるため、表面が平坦であり、油汚れや指紋に強いとの効果をマウスパッドの構造１０に持たせることが可能となる。
【００１８】
また、疎油性フィルム層２は、プラスチック基材２１と、プラスチック基材２１に分散する複数のガラスビーズ２２を含んでいる。ガラスビーズ２２は光が照射されると反射して光るため、マウスパッドの構造１０の見栄えが良くなる。
【００１９】
本考案の疎油性フィルム層２の他の実施例である図４を参照する。図４の実施例は図１〜図３の実施例とほぼ同じである。ただし、図４の実施例は、疎油性フィルム層２が更に複数のグリッターパウダーを含む点で  図１〜図３の実施例と異なっている。
【００２０】
詳細を説明すると、複数のグリッターパウダーはプラスチック基材２１に分散している。複数のガラスビーズ２２と複数のグリッターパウダーの合計重量は、疎油性フィルム層２の総重量の４０％〜５５％を占めている。グリッターパウダーは色を有している。且つ、グリッターパウダーは光が照射されると反射して光るため、マウスパッドの構造１０の見栄えが更に強化される。
【００２１】
本考案におけるマウスパッドの構造１０の他の実施例である図５を参照する。図５の実施例は図１〜図３の実施例とほぼ同じである。ただし、図５の実施例は、パッド１が弾性パッド体１２である点で図１〜図３の実施例と異なっている。
【００２２】
更に説明すると、本実施例のパッド１は弾性パッド体１２のみからなり、上面１１が弾性パッド体１２の上方に形成されている。パッド１は織布層を含まないが、弾性パッド体１２はシリコーンゴム又はゴムを材質として構成されるため、弾性パッド体１２の表面もまた平坦でなくなる。そこで、本考案では、疎油性フィルム層２をパッド１の上面１１に貼り付けることで、パッド１の上面を平坦にするとともに、油汚れや指紋に強くしている。これにより、図１〜図３の実施例と同様の効果が達せられる。
【００２３】
以上述べたように、本考案のマウスパッドの構造は所期の使用目的を確実に達成し、周知の欠点を解決することが可能である。且つ、産業上の利用可能性、新規性及び進歩性を有しており、考案の出願要件を完全に満たしている。よって、特許法に基づき出願する。考案者の権利を保障すべく、本件の詳細な審査と許可をお願い申し上げる。
【符号の説明】
【００２４】
１０  マウスパッドの構造
１  パッド
１１  上面
１２  弾性パッド体
１３  織布層
２  疎油性フィルム層
２１  プラスチック基材
２２  ガラスビーズ
３  第１接着剤層
４  第２接着剤層
【図１】
0003232023.tif 000003
【図２】
0003232023.tif 000004
【図３】
0003232023.tif 000005
【図４】
0003232023.tif 000006
【図５】
0003232023.tif 000007